(57)【特許請求の範囲】
【請求項１】
内容物を収納する内容器と、この内容器を内装する外容器との組合せになる内外二重の容器本体を備え、
上記容器本体の開口部分に気密状態で取り付けられ、容器本体の胴部におけるスクイズにて内容器の内容物を排出する排出手段を有する二重容器であって、
前記容器は、内容器の開口部分に連通する内容物排出用の開口を有し内容器の開口部分先端面で排出手段との挟持下に気密状態で固定保持する中間部材を有し、
この中間部材に、該中間部材の下部に位置し、スクイズによる外圧の付与時にのみ内容物排出用の開口を開放する第１のチェック弁と、該中間部材の上部に位置し、外圧の解除に際して敏感に反応して開放し内容器と外容器の相互間に空気を導入して容器本体の外圧付加前の外観形状に復原する第２のチェック弁をそれぞれ着脱可能に配設してなり、
前記中間部材の周りに凹部を設け、この凹部により排出手段の基台部分との相互間で、内容器と外容器の間に外気を流入させる通路を形成する、ことを特徴とする二重容器。
【請求項２】
第２のチェック弁はゴム若しくはエラストマーよりなるものである、請求項１記載の二重容器。
【請求項３】
内容器が、デラミネーションタイプの容器である、請求項１又は２記載の二重容器。
【請求項４】
内容器が、レフィルタイプの容器である、請求項１又は２記載の二重容器。
【発明の詳細な説明】
【０００１】
【発明の属する技術分野】
本発明は、整髪料や染毛剤あるいは育毛剤等の内容物を収容するのに好適なスクイズタイプの二重容器に関し、その内部構造について工夫を加えることにより、内容物の効率的で確実な排出を可能とするとともに、容器相互間においける構成部材の共有化により用途の異なる多種の製品容器に幅広く適用しようとするものである。
【０００２】
【従来の技術】
染毛剤等を収容する容器は、需要者の使用姿勢にかかわりなく内容物を確実にしかも迅速に注出することができるように、スクイズタイプの容器が使用されている。
【０００３】
この種の容器は、通常、内容物を収容する内容器と、この内容器を内装する外容器とを組み合わせた内外二重の容器本体からなり、内容器の開口部分及び内外容器の相互間にチェック弁がそれぞれ配置された構造になっている。そして、容器本体の胴部を把持した状態で外圧を加えると内容器の開口部分のチェック弁のみが開放されその開口部分をとおして内容物が排出される一方、外圧の付加を解除することにより内容器と外容器の相互間に配置されたチェック弁のみが開放され、そこを通して外気が流入して容器本体の外観形状を初期状態に復原するようになっている。この点に関する先行技術としては、例えば、実開平７−２２９５１号公報が参照される。
【０００４】
【発明が解決しようとする課題】
ところで、かかる容器において、内容器と外容器の相互間に外気を導入するチェック弁は内容物の連続的な排出を行うべく、次の加圧動作を導くため、外圧の付加を解除した際に、迅速に開放され容器本体の外観形状を初期状態に復原することが不可欠であるところ、弁の開放動作が緩慢であるために効率的なスクイズができないところに問題を有している。
【０００５】
また、このような容器は、その構造についてはさほどの複雑化は伴わないものの、チェック弁等の構成部材に関しては他の製品容器に適用し得ることが可能であるにもかかわらず容器との一体化を図るなどしてその容器に応じた設計がなされているのが現状である。
【０００６】
本発明の課題は、スクイズタイプの容器において内容物を迅速かつ、且つ実に排出することを可能とするとともに、容器の構成部材の共有化を図り、容器自体の製造効率を著しく改善することができる新規な二重容器を提案するところにある。
【０００７】
【課題を解決するための手段】
本発明は、内容物を収容する内容器と、この内容器を内装する外容器との組合せになる内外二重の容器本体を備え、
上記容器本体の開口部分に気密状態で取り付けられ、容器本体の胴部におけるスクイズにて内容器の内容物を排出する排出手段を有する二重容器であって、
前記容器は、内容器の開口部分に連通する内容物排出用の開口を有し内容器の開口部分先端面で排出手段との挟持下に気密状態で固定保持する中間部材を有し、
この中間部材に、該中間部材の下部に位置し、スクイズによる外圧の付与時にのみ内容物排出用の開口を開放する第１のチェック弁と、該中間部材の上部に位置し、外圧の解除に際して敏感に反応して開放し内容器と外容器の相互間に空気を導入して容器本体の外圧付加前の外観形状に復原する第２のチェック弁をそれぞれ着脱可能に配設してなり、
前記中間部材の周りに凹部を設け、この凹部により排出手段の基台部分との相互間で、内容器と外容器の間に外気を流入させる通路を形成する、ことを特徴とする二重容器である。
【０００８】
第２のチェック弁はゴム若しくはエラストマーよりなるものとするのが好ましい。また、内容器は、保形性のほとんどない袋状のものを適用したデラミネーションタイプの容器とすることができるし、レフィルタイプの容器としてもよい。
【０００９】
【発明の実施の形態】
本発明の容器は、排出手段と容器本体の相互間にそれらとは別体になる第１のチェック弁、第２のチェック弁を有する中間部材を配置するものであり、とくに、第２のチェック弁については、外圧を解除した際に敏感に反応して開放するため、外圧の解除に合わせて内容器と外容器の相互間にすぐさま外気が流入し、内容物の排出工程に移行できる。
【００１０】
また、この中間部材を含め、第１のチェック弁、第２のチェック弁は容器本体に対して取り付け、取り外しが可能なので、容器の設計状況に応じては種類の異なる容器の製造に際してその部材を適用することも可能となる。
【００１１】
【実施例】
以下、図面を参照して本発明をより具体的に説明する。
図１は本発明に従う櫛付き容器の構成を一部断面にして示したものである。
【００１２】
図において１は内容物Ｍを収容する内容器、２はこの内容器１を内装する外容器である。この容器は、外容器２の開口部分２ａの先端面に内容器１の開口部分１ａが載置されていて図示の如く、内容器１と外容器２を組み合わせた内外二重の容器本体からなっている。
【００１３】
また、３は容器本体の外容器２の開口部分２ａにおいて例えばねじ止め固定することができる排出手段である。
【００１４】
この排出手段３は外容器２の開口部分２ａに係合する基台部分３ａとこの基台部分３ａに取り付け、取り外しが可能で図２に示すような内部構造になる櫛部分３ｂからなっている。そして、外容器２の開口部分２ａにはその周りに沿う環状凸部ｔを設けることができ、基台部分３ａを外容器２の開口部分２にねじ止めする際、その相互間を環状凸部ｔによって気密状態に保持する。
【００１５】
また、４は中間部材である。この中間部材４は内容器１の開口部分１ａに連通する内容物排出用の開口４ａを有していて、内容器１の開口部分１ａの先端面で排出手段３の基台部分３ａとの挟持下に気密状態で固定保持される。
【００１６】
５は第１のチェック弁である。このチェック弁５は中間部材４に着脱可能に保持することができるものであり、容器本体の胴部のスクイズにおいて、外圧が付与された時にのみ開（図３の仮想線）となり内容物排出用の開口４ａが開放される。
【００１７】
また、６は第２のチェック弁であり、この第２のチェック弁６は第１のチェック弁５と同様に中間部材４に着脱可能に保持されるものである。容器本体の胴部のスクイズにおいて、外圧が取り除かれた時（内容器と外容器の相互間は減圧状態にある。）に第２のチェック弁６は開（図３の仮想線）となり、基台部分３ａに設けられた貫通口３ｃ、基台部分３ａと中間部材４の相互間に設けられた通路７、内容器１と外容器２の相互間に設けられた通路８をそれぞれ通って内容器１と外容器２の間に外気が流入して、容器が、外圧の付与前の外観形状に復原する。
【００１８】
図３は第１のチェック弁５、第２のチェック弁６及び中間部材４の組み込み状況を拡大して示したものであり、図４は第１のチェック弁５のみを取り出してその平面を、また、図５は第２のチェック弁６のみを取り出してその平面をそれぞれ示したものである。
【００１９】
第１のチェック弁５の如きは、図３に示すように、弁体５ａはヒンジ部分５ｂを支点にして動くようになっており、容器本体をスクイズすべく外圧を付加すると該弁体５ｂは内容物に押されて速やかに開放する。
【００２０】
第２のチェック弁６については、図５に示すように弁体６ａはベース６ｂの周りに片持ち支持状態で一体的に設けられていているが、本発明においてはチェック弁６はその弁体６ａを含めて柔軟性に富むゴムやエラストマーの如き素材を使用して、容器本体に対する外圧の変動に敏感に反応して開放するものであり、外圧の付加を取り除くと、内容器１と外容器２の間に外気が流入し、短時間のうちに内容物の排出動作に移行できることになる。
【００２１】
図６は中間部材４の平面を示したものである。中間部材４にはその周りに等間隔で局所的な凹部４ａを設けることができ、この中間部材４が組み込まれたとき、基台部分３ａとの相互間で通路７を形成する。
【００２２】
通路８に関しては内容器１および外容器２の開口部において上記の凹部４ａと同様の凹部を設けることで通路８を形成することが可能であり、この通路８、通路７は図示のものに限定されるものではなく、種々のものが適用できる。
【００２３】
本発明に従う二重容器においてその胴部を把持して上掲図１に示す矢印に従い容器本体に外圧を加えると、内容物は第１のチェック弁５を経て押し出され通路ｒを通り櫛部分３ｂから排出される。
【００２４】
このとき容器本体は外圧により潰れた状態（減圧状態）にあるが、かかる外力を取り除くと第２のチェック弁６が速やかに開放され貫通孔３ｃ、通路７、通路８を経て外気が内容器１と外容器２の間に導入されるため容器本体は外圧の付加前の外観形状に復原され、この動作を複数回にわたり繰り替えすスクイズを行うことにより容器内の内容物は効率よく排出されることになる。
【００２５】
第１のチェック弁５、第２のチェック弁６は中間部材４から取り外すことができるものであるので、他の容器への部材の転用が可能であり、部材の共用化を図ることが可能であり、また、長期使用において弁体に作動不良が起きた場合などにおいてその部材のみの取り替えで容器の使用が可能になる。
【００２６】
図７は、外容器２に内装する内容器１を示したものである。内容器１をレフィル容器とすることで内容物を使い切った場合に、内容器１を交換するだけで外容器２、排出手段３をそのまま継続して使用することができ、外容器２や排出手段３を無駄に廃棄することもないので、資源の有効活用を図り得る。
【００２７】
内容器１をレフィル容器とする場合、その開口部分２ａを密閉する栓としては該開口部分２ａに係合するアタッチメントタイプの密閉栓が適用できる。
【００２８】
上掲図１においては、内容物の排出手段３として櫛付きの二重容器の例を示したが、これは例えば図８に示すような単一の排出口を有するノズルｎを配置することもでき、排出手段３については、その形式はとくに限定されない。
【００２９】
図９は本発明従う二重容器として、内容器１に替えて袋状の部材９を内装したデラミネーションタイプの例を示したものである。
上掲図９に示したような容器は、部材９と外容器２の間に通路８を形成するに当たって、外容器２のみに凹部を設ける必要があるが、容器内の内容物を排出する際しては、上掲図１に示した容器と何ら変わるところはない。
【００３０】
【発明の効果】
本発明によれば、容器内に配置した構成部材のうちとくに、容器のスクイズにおいて重要な機能を果たすチェック弁を確実かつ迅速に作動させることができるので内容物を効率よく排出することができる。
【００３１】
また、本発明によれば、第１のチェック弁、第２のチェック弁及び中間部材はそれぞれ容器本体に対して取り付け、取り外しができるので、他の容器相互間で部材の共有化が可能であり、容器の製造にかかわるコストを著しく削減できる。
【図面の簡単な説明】
【図１】本発明に従う二重容器の構成説明図である。
【図２】図１に示した容器の要部を拡大して示した図である。
【図３】図１に示した容器の要部を拡大して示した図である。
【図４】第１のチェック弁の平面を示した図である。
【図５】第２のチェック弁の平面を示した図である。
【図６】中間部材の平面を示した図である。
【図７】内容器の外観を示した図である。
【図８】排出手段の他の例を示した図である。
【図９】デラミネーションタイプの二重容器を示した図である。
【符号の説明】
１  内容器
２  外容器
３  排出手段
４  中間部材
５  第１のチェック弁
６  第２のチェック弁
７  通路
８  通路
９  袋状の部材
ｎ  ノズル
ｔ  凸部
【図１】
0004077144.tif 000002
【図２】
0004077144.tif 000003
【図３】
0004077144.tif 000004
【図４】
0004077144.tif 000005
【図５】
0004077144.tif 000006
【図６】
0004077144.tif 000007
【図７】
0004077144.tif 000008
【図８】
0004077144.tif 000009
【図９】
0004077144.tif 000010